(57)【要約】【課題】  小型化を図る。【解決手段】  撮像光学系の光路を開閉して光量の調節を行う一対の光量調節羽根１６、１７と、撮像光学系の光路となる透過孔２６ａを有し光量調節羽根を移動自在に支持するベース体２６と、光量調節羽根に摺動自在に係合される係合ピン２７ｂ、２７ｂを有し光量調節羽根を並進移動させる回動アーム２７と、回動アームを回動させる駆動モーター１８と、少なくとも一方の光量調節羽根と同じ方向へ移動されて透過孔を開閉する補助調節用羽根２３とを設け、透過孔の閉塞動作時には、同じ方向へ移動される光量調節羽根と補助調節用羽根が厚み方向において重なる面積が漸次減少する状態で透過孔を閉塞し、透過孔の開放動作時には、同じ方向へ移動される光量調節羽根と補助調節用羽根が厚み方向において重なる面積が漸次増加する状態で透過孔を開放するようにした。【選択図】図８
2006145739.tif 000002
【特許請求の範囲】
【請求項１】
内部に撮像光学系が配置されたレンズ鏡筒と、
互いに離接する方向へ並進移動され撮像光学系の光路となる透過孔を開閉して光量の調節を行う一対の光量調節羽根と、
撮像光学系の光路となる上記透過孔を有し上記一対の光量調節羽根をそれぞれ移動自在に支持するベース体と、
上記一対の光量調節羽根にそれぞれ摺動自在に係合される係合ピンを有し回動動作されることにより一対の光量調節羽根を並進移動させる回動アームと、
該回動アームを回動させる駆動源となる駆動モーターと、
上記一対の光量調節羽根のうち少なくとも一方の光量調節羽根と同じ方向へ移動されて上記透過孔を開閉する補助調節用羽根とを備え、
上記透過孔の閉塞動作時には、同じ方向へ移動される光量調節羽根と補助調節用羽根が厚み方向において重なる面積が漸次減少する状態で透過孔が閉塞され、
上記透過孔の開放動作時には、同じ方向へ移動される光量調節羽根と補助調節用羽根が厚み方向において重なる面積が漸次増加する状態で透過孔が開放されるようにした
ことを特徴とする撮像装置。
【請求項２】
上記回動アームに、該回動アームの回動支点から上記係合ピンまでの間の位置に補助調節用羽根に摺動自在に係合される係合突部を設け、
回動アームの回動動作によって補助調節用羽根が並進移動されるようにした
ことを特徴とする請求項１に記載の撮像装置。
【請求項３】
互いに離接する方向へ並進移動されレンズ鏡筒の内部に配置された撮像光学系の光路となる透過孔を開閉して光量の調節を行う一対の光量調節羽根と、
撮像光学系の光路となる上記透過孔を有し上記一対の光量調節羽根をそれぞれ移動自在に支持するベース体と、
上記一対の光量調節羽根にそれぞれ摺動自在に係合される係合ピンを有し回動動作されることにより一対の光量調節羽根を並進移動させる回動アームと、
該回動アームを回動させる駆動源となる駆動モーターと、
上記一対の光量調節羽根のうち少なくとも一方の光量調節羽根と同じ方向へ移動されて上記透過孔を開閉する補助調節用羽根とを備え、
上記透過孔の閉塞動作時には、同じ方向へ移動される光量調節羽根と補助調節用羽根が厚み方向において重なる面積が漸次減少する状態で透過孔が閉塞され、
上記透過孔の開放動作時には、同じ方向へ移動される光量調節羽根と補助調節用羽根が厚み方向において重なる面積が漸次増加する状態で透過孔が開放されるようにした
ことを特徴とする光量調節機構。
【請求項４】
上記回動アームに、該回動アームの回動支点から上記係合ピンまでの間の位置に補助調節用羽根に摺動自在に係合される係合突部を設け、
回動アームの回動動作によって補助調節用羽根が並進移動されるようにした
ことを特徴とする請求項３に記載の光量調節機構。
【発明の詳細な説明】
【技術分野】
【０００１】
本発明は撮像装置及び光量調節機構についての技術分野に関する。詳しくは、光量調節羽根に加え撮像光学系の光路となる透過孔を開閉する補助調節用羽根を設け、撮像装置及び光量調節機構の小型化を図る技術分野に関する。
【背景技術】
【０００２】
ビデオカメラやスチルカメラ等の撮像装置には、一対の光量調節羽根（絞り羽根）を撮像光学系の光軸に対して直交する面内において駆動モーターの駆動力によって並進移動させることにより、撮像光学系の光路を開閉し光量調節を行うようにした光量調節機構を備えたものがある（例えば、特許文献１参照）。
【０００３】
以下に、このような撮像装置に設けられた従来の光量調節機構の一例を示す（図９及び図１０参照）。
【０００４】
光量調節機構ａは、一対の絞り羽根として機能する光量調節羽根ｂ、ｃを有しており、該光量調節羽根ｂ、ｃが互いに離接する方向（上下方向）へ並進移動されることにより入射光量の調節が行われる。
【０００５】
光量調節羽根ｂには下方に開口された開口用切欠ｄが形成され、左右両側縁に上下に長い被案内孔ｅ、ｅが形成されている。光量調節羽根ｂには左右に長い摺動孔ｆが形成されている。
【０００６】
光量調節羽根ｃには上方に開口された開口用切欠ｇが形成され、左右両側縁に上下に長い被案内孔ｈ、ｈが形成されている。光量調節羽根ｃには左右に長い摺動孔ｉが形成されている。
【０００７】
光量調節羽根ｂ、ｃはそれぞれベース体ｊに上下方向へ移動自在に支持されている。ベース体ｊは縦長の略矩形状に形成され、略中央部に撮像光学系の光路となる透過孔ｋを有し、光学系の光軸が透過孔ｋの中心を通る位置に設定されている。
【０００８】
ベース体ｊには前方へ突出された４つの案内ピンｌ、ｌ、・・・が設けられている。ベース体ｊの案内ピンｌ、ｌ、・・・は、それぞれ光量調節羽根ｂ、ｃの被案内孔ｅ、ｅ、ｈ、ｈに挿入されて摺動自在に係合される。
【０００９】
ベース体ｊの後方には図示しない駆動モーターが配置され、該駆動モーターのモーター軸がベース体ｊを貫通され、該モーター軸に回動アームｍが固定されている。
【００１０】
回動アームｍはアーム部ｎと該アーム部ｎの両端部から突出された係合ピンｏ、ｏとから成る。アーム部ｎは、長手方向における中央部がモーター軸に固定されている。回動アームｍの係合ピンｏ、ｏは、それぞれ光量調節羽根ｂ、ｃの摺動孔ｆ、ｉに摺動自在に係合されている。
【００１１】
駆動モーターの回転に伴って回動アームｍが回動されると、回動アームｍの係合ピンｏ、ｏがそれぞれ光量調節羽根ｂ、ｃの摺動孔ｆ、ｉに対して摺動され、光量調節羽根ｂ、ｃが案内ピンｌ、ｌ、・・・に案内されて互いに離接する方向（上下方向）へ並進移動される。
【００１２】
このとき駆動モーターが一方の方向へ回転されると、図９に示すように、光量調節羽根ｂ、ｃが互いに離れる方向へ移動され、光量調節羽根ｂ、ｃの開口用切欠ｄ、ｇによって形成される開口の面積が大きくなり透過孔ｋが開放されていくことにより入射光量が増加する。逆に、回動アームｍが、他方の方向へ回転されると、図１０に示すように、光量調節羽根ｂ、ｃが互いに近づく方向へ移動され、光量調節羽根ｂ、ｃの開口用切欠ｄ、ｇによって形成される開口の面積が小さくなり透過孔ｋが閉塞されていくことにより入射光量が減少する。
【００１３】
従って、ベース体ｊの透過孔ｋを透過する光については、光量調節羽根ｂ、ｃの開口用切欠ｄ、ｇによって形成される開口の大きさによって光量調節が行われる。
【００１４】
【特許文献１】特開２００１−２７２７０９号公報
【発明の開示】
【発明が解決しようとする課題】
【００１５】
ところで、上記のような一対の光量調節羽根ｂ、ｃによって構成された光量調節機構ａにあっては、各部品の組立時の誤差が生じた場合においても確実な遮光性能を確保するために、光量調節羽根ｂ、ｃによって透過孔ｋが閉塞されたときにオーバーラップ部分Ａ（図１０参照）が形成されるようにしている。また、光量調節機構ａが静止画撮影時におけるシャッターとしても使用される場合があり、この場合には、光量調節羽根ｂ、ｃを高速で閉じる動作が行われ、このとき発生し得る光量調節羽根ｂ、ｃの閉塞状態から開放状態への移動であるリバウンドによる再露光を防止するためにも、上記したオーバーラップ部分Ａが必要とされる。
【００１６】
また、透過孔ｋの開放時には、光量調節羽根ｂ、ｃが透過孔ｋより外側に回避されていなければならないが、この回避した位置は組立時の誤差を考慮して定められるため、組立誤差分の余裕Ｂ（図１０参照）が必要とされる。
【００１７】
従って、光量調節羽根ｂ、ｃには開口用切欠ｄ、ｇの外側に、移動方向において、オーバーラップ部分Ａの半分＋組立誤差分の余裕Ｂ＋透過孔ｋの半径Ｃの長さが必要とされ、その分、光量調節機構ａが大型となってしまうという問題がある。
【００１８】
このような光量調節機構ａをレンズ鏡筒に組み込んだ場合には、光量調節機構ａが大型となることから、その一部がレンズ鏡筒から外側へ突出されてしまうことが多く、レンズ鏡筒が配置されたビデオカメラやスチルカメラ等の撮像装置の小型化を阻害してしまう。
【００１９】
加えて、撮像装置における光量調節機構ａの周囲には、設計上、ストロボ、マイク、オートフォーカス補助光発光装置等の各部品が配置されることが多いが、これらの各部品とレンズ鏡筒から突出された光量調節機構ａの一部とが位置的に干渉し、各部品の配置の自由度が阻害され、デザイン上及び機能上の自由度が阻害されるおそれがある。
【００２０】
また、レンズ鏡筒から光量調節機構ａの一部が突出される場合には、レンズ鏡筒を含むレンズユニットの取扱時に、不測の外力を受ける機会が増加し、この外力による光量調節機構ａの動作不良を引き起こすおそれもある。
【００２１】
そこで、本発明は、上記した問題点を克服し、撮像装置及び光量調節機構の小型化を図ることを課題とする。
【課題を解決するための手段】
【００２２】
本発明撮像装置は、上記した課題を解決するために、内部に撮像光学系が配置されたレンズ鏡筒と、互いに離接する方向へ並進移動され撮像光学系の光路となる透過孔を開閉して光量の調節を行う一対の光量調節羽根と、撮像光学系の光路となる上記透過孔を有し上記一対の光量調節羽根をそれぞれ移動自在に支持するベース体と、上記一対の光量調節羽根にそれぞれ摺動自在に係合される係合ピンを有し回動動作されることにより一対の光量調節羽根を並進移動させる回動アームと、該回動アームを回動させる駆動源となる駆動モーターと、上記一対の光量調節羽根のうち少なくとも一方の光量調節羽根と同じ方向へ移動されて上記透過孔を開閉する補助調節用羽根とを設け、上記透過孔の閉塞動作時には、同じ方向へ移動される光量調節羽根と補助調節用羽根が厚み方向において重なる面積が漸次減少する状態で透過孔を閉塞し、上記透過孔の開放動作時には、同じ方向へ移動される光量調節羽根と補助調節用羽根が厚み方向において重なる面積が漸次増加する状態で透過孔を開放するようにしたものである。
【００２３】
本発明光量調節機構は、上記した課題を解決するために、互いに離接する方向へ並進移動されレンズ鏡筒の内部に配置された撮像光学系の光路となる透過孔を開閉して光量の調節を行う一対の光量調節羽根と、撮像光学系の光路となる上記透過孔を有し上記一対の光量調節羽根をそれぞれ移動自在に支持するベース体と、上記一対の光量調節羽根にそれぞれ摺動自在に係合される係合ピンを有し回動動作されることにより一対の光量調節羽根を並進移動させる回動アームと、該回動アームを回動させる駆動源となる駆動モーターと、上記一対の光量調節羽根のうち少なくとも一方の光量調節羽根と同じ方向へ移動されて上記透過孔を開閉する補助調節用羽根とを設け、上記透過孔の閉塞動作時には、同じ方向へ移動される光量調節羽根と補助調節用羽根が厚み方向において重なる面積が漸次減少する状態で透過孔を閉塞し、上記透過孔の開放動作時には、同じ方向へ移動される光量調節羽根と補助調節用羽根が厚み方向において重なる面積が漸次増加する位置関係となる状態で透過孔を開放するようにしたものである。
【００２４】
従って、本発明撮像装置及び光量調節機構にあっては、撮像光学系の光路となる透過孔が一対の光量調節羽根及び補助調節用羽根によって閉塞され、透過孔の閉塞時に同じ方向へ動作される光量調節羽根と補助調節用羽根が重なった状態で位置される。
【発明の効果】
【００２５】
本発明撮像装置は、内部に撮像光学系が配置されたレンズ鏡筒と、互いに離接する方向へ並進移動され撮像光学系の光路となる透過孔を開閉して光量の調節を行う一対の光量調節羽根と、撮像光学系の光路となる上記透過孔を有し上記一対の光量調節羽根をそれぞれ移動自在に支持するベース体と、上記一対の光量調節羽根にそれぞれ摺動自在に係合される係合ピンを有し回動動作されることにより一対の光量調節羽根を並進移動させる回動アームと、該回動アームを回動させる駆動源となる駆動モーターと、上記一対の光量調節羽根のうち少なくとも一方の光量調節羽根と同じ方向へ移動されて上記透過孔を開閉する補助調節用羽根とを備え、上記透過孔の閉塞動作時には、同じ方向へ移動される光量調節羽根と補助調節用羽根が厚み方向において重なる面積が漸次減少する状態で透過孔が閉塞され、上記透過孔の開放動作時には、同じ方向へ移動される光量調節羽根と補助調節用羽根が厚み方向において重なる面積が漸次増加する状態で透過孔が開放されるようにしたことを特徴とする。
【００２６】
従って、一対の光量調節羽根のみによって透過孔を開閉するようにした場合に比し、同じ方向へ移動される光量調節羽根及び補助調節用羽根の移動方向における長さが短くて済み、その分、光量調節機構の小型化による撮像装置の小型化を図ることができる。
【００２７】
また、光量調節機構の小型化を図ることができるため、光量調節機構をレンズ鏡筒に対して外側に突出させない状態で配置し易くなり、他の部品との配置上の干渉を回避することが可能となり、レンズ鏡筒の周囲に配置される各部品の配置の自由度の向上を図ることができる。
【００２８】
さらに、光量調節機構をレンズ鏡筒に対して外側に突出させない状態で配置し易くなるため、光量調節機構において不測の外力を受ける機会が低減し、この外力による光量調節機構の動作不良を防止することができる。
【００２９】
請求項２に記載した発明にあっては、上記回動アームに、該回動アームの回動支点から上記係合ピンまでの間の位置に補助調節用羽根に摺動自在に係合される係合突部を設け、回動アームの回動動作によって補助調節用羽根が並進移動されるようにしたので、部品点数を少なくすることができると共に配置スペースの低減による小型化を図ることができる。
【００３０】
本発明光量調節機構は、互いに離接する方向へ並進移動されレンズ鏡筒の内部に配置された撮像光学系の光路となる透過孔を開閉して光量の調節を行う一対の光量調節羽根と、撮像光学系の光路となる上記透過孔を有し上記一対の光量調節羽根をそれぞれ移動自在に支持するベース体と、上記一対の光量調節羽根にそれぞれ摺動自在に係合される係合ピンを有し回動動作されることにより一対の光量調節羽根を並進移動させる回動アームと、該回動アームを回動させる駆動源となる駆動モーターと、上記一対の光量調節羽根のうち少なくとも一方の光量調節羽根と同じ方向へ移動されて上記透過孔を開閉する補助調節用羽根とを備え、上記透過孔の閉塞動作時には、同じ方向へ移動される光量調節羽根と補助調節用羽根が厚み方向において重なる面積が漸次減少する状態で透過孔が閉塞され、上記透過孔の開放動作時には、同じ方向へ移動される光量調節羽根と補助調節用羽根が厚み方向において重なる面積が漸次増加する状態で透過孔が開放されるようにしたことを特徴とする。
【００３１】
従って、一対の光量調節羽根のみによって透過孔を開閉するようにした場合に比し、同じ方向へ移動される光量調節羽根及び補助調節用羽根の移動方向における長さが短くて済み、その分、光量調節機構の小型化を図ることができる。
【００３２】
また、光量調節機構の小型化を図ることができるため、光量調節機構をレンズ鏡筒に対して外側に突出させない状態で配置し易くなり、他の部品との配置上の干渉を回避することが可能となり、レンズ鏡筒の周囲に配置される各部品の配置の自由度の向上を図ることができる。
【００３３】
さらに、光量調節機構をレンズ鏡筒に対して外側に突出させない状態で配置し易くなるため、光量調節機構において不測の外力を受ける機会が低減し、この外力による光量調節機構の動作不良を防止することができる。
【００３４】
請求項４に記載した発明にあっては、上記回動アームに、該回動アームの回動支点から上記係合ピンまでの間の位置に補助調節用羽根に摺動自在に係合される係合突部を設け、回動アームの回動動作によって補助調節用羽根が並進移動されるようにしたので、部品点数を少なくすることができると共に配置スペースの低減による小型化を図ることができる。
【発明を実施するための最良の形態】
【００３５】
以下に、本発明撮像装置及び光量調節機構を実施するための最良の形態を添付図面に従って説明する。以下に示す最良の形態は、本発明撮像装置をスチルカメラに適用し、本発明光量調節機構をこのスチルカメラに用いられた光量調節機構に適用したものである。尚、本発明の適用範囲はスチルカメラ又はスチルカメラに用いられた機構に限られることはなく、本発明は、ビデオカメラの他、動画撮影又は静止画撮影の機能を有する各種の撮像装置又はこれらの撮像装置に用いられた各種の光量調節機構に適用することができる。
【００３６】
撮像装置１（デジタルスチルカメラ）は、図１に示すように、撮像機能を有するカメラブロック２と、撮影された画像信号のアナログ−デジタル変換等の信号処理を行うカメラ信号処理部３と、画像信号の記録再生処理を行う画像処理部４と、撮影された画像等を表示する表示部５と、記録媒体１００に対する記録／再生を行う記録再生部６と、撮像装置１の全体を制御する中央演算処理装置７と、ユーザーによる操作入力を行うための入力操作部８と、カメラブロック２の各種のレンズの駆動を制御するレンズ駆動制御部９とを備えている。
【００３７】
カメラブロック２は、レンズ鏡筒１０、該レンズ鏡筒１０内に配置された各レンズ等の撮像光学系及びＣＣＤ（Charge Coupled Device）等の撮像素子１１等により構成される。
【００３８】
カメラ信号処理部３は、撮像素子１１からの出力信号（アナログ信号）のデジタル信号への変換、ノイズ除去、画質補正、輝度信号や色差信号への変換等の信号処理を行う。
【００３９】
画像処理部４は、所定の画像データーフォーマットに基づく画像信号の圧縮符号化、伸長復号化処理、解像度等のデーター仕様の変換処理等を行う。
【００４０】
記録媒体１００は、例えば、着脱可能な半導体メモリーである。
【００４１】
表示部５は、例えば、液晶ディスプレイである。
【００４２】
記録再生部６は、画像処理部４によって符号化された画像データーの記録媒体１００への書込や記録媒体１００に記録された画像データーの読出を行う。
【００４３】
中央演算処理装置７は、撮像装置１に設けられた各回路ブロックを制御する制御処理部であり、入力操作部８からの指示入力信号等に基づいて各回路ブロックを制御する。
【００４４】
入力操作部８は、例えば、シャッター操作を行うためのシャッターレリーズボタンや、動作モードを選択するための選択スイッチ等により構成され、ユーザーによる操作に応じた指示入力信号を中央演算処理装置７に対して出力する。
【００４５】
レンズ駆動制御部９は、中央演算処理装置７からの制御信号に基づいて、レンズ鏡筒１０の内部に配置された各レンズ、例えば、ズーム用の後述する変倍レンズやフォーカス用の後述するフォーカスレンズを駆動する図示しないモーター等を制御する。
【００４６】
以下に、撮像装置１の動作を簡単に説明する。
【００４７】
撮影の待機状態においては、中央演算処理装置７による制御の下で、カメラブロック２において撮影された画像信号が、カメラ信号処理部３を介して表示部５に出力され、カメラスルー画像として表示される。
【００４８】
入力操作部８からのズーミングのための指示入力信号が入力されると、中央演算処理装置７がレンズ駆動制御部９に制御信号を出力し、レンズ駆動制御部９の制御に基づいて、レンズ鏡筒１０に配置された変倍レンズが移動される。
【００４９】
フォーカシングは、例えば、シャッターレリーズボタンが半押しされた場合、又は、記録のために全押しされた場合等に、中央演算処理装置７からの制御信号に基づいてレンズ駆動制御部９がレンズ鏡筒１０内のフォーカスレンズを移動させることにより行われる。
【００５０】
入力操作部８からの指示入力信号によりカメラブロック２の図示しないシャッターが動作されると、画像信号がカメラ信号処理部３から画像処理部４に出力されて圧縮符号化処理され、所定のデーターフォーマットのデジタルデーターに変換される。変換されたデーターは記録再生部６に出力され、記録媒体１００に書き込まれる。
【００５１】
記録媒体１００に記録された画像データーを再生する場合は、入力操作部８による操作に応じて、記録再生部６により記録媒体１００から所定の画像データーが読み出され、画像処理部４で伸張復号化処理された後、再生画像信号が表示部５に出力される。これにより再生画像が表示される。
【００５２】
次に、カメラブロック２の構成例について説明する（図１参照）。
【００５３】
カメラブロック２のレンズ鏡筒１０には光量調節機構１２が配置され、該光量調節機構１２を挟んだ光軸方向における反対側の位置に変倍レンズ１３とフォーカスレンズ１４が光軸方向に移動可能な状態で配置されている。レンズ鏡筒１０の前端部にはレンズ１５が配置されている。
【００５４】
光量調節機構１２は、図２に示すように、一対の絞り羽根として機能する光量調節羽根１６、１７を有しており、該光量調節羽根１６、１７が互いに離接する方向（上下方向）へ並進移動されることにより入射光量の調節が行われる。光量調節羽根１６、１７は駆動モーター１８の駆動力によって並進移動される。
【００５５】
光量調節羽根１６は主部１９と該主部１９の左端部から下方へ突出された突部２０とが一体に形成されて成る。光量調節羽根１６には上方に開口された開口用切欠１６ａが形成されている。
【００５６】
主部１９の左右両側縁には、それぞれ上下に長い被案内孔１９ａ、１９ａが形成され、該被案内孔１９ａ、１９ａ間に開口用切欠１６ａが形成されている。
【００５７】
突部２０には上下に長い被案内孔２０ａが形成されている。突部２０の下端部には、左右に長い摺動孔２０ｂが形成されている。
【００５８】
光量調節羽根１７は主部２１と該主部２１の一方の側縁部から下方へ突出された突部２２とが一体に形成されて成る。光量調節羽根１７には下方に開口された開口用切欠１７ａが形成されている。
【００５９】
主部２１の左右両側縁には、それぞれ上下に長い被案内孔２１ａ、２１ａが形成されている。
【００６０】
突部２２には上下に長い被案内孔２２ａが形成されている。突部２２の下端部には左右に長い摺動孔２２ｂが形成されている。
【００６１】
光量調節機構１２は、図２に示すように、補助調節用羽根２３を有している。補助調節用羽根２３は光量調節羽根１７と同じ方向へ駆動モーター１８の駆動力によって並進移動される。
【００６２】
補助調節用羽根２３は主部２４と該主部２４の一方の側縁部から下方へ突出された突部２５とが一体に形成されて成る。補助調節用羽根２３には下方に開口された開口用切欠２３ａが形成されている。主部２４には、一方の側縁に上下に長い被案内孔２４ａが形成されている。
【００６３】
突部２５には上下に長い被案内孔２５ａが形成されている。突部２５の下端部には左右に長い摺動孔２５ｂが形成されている。
【００６４】
光量調節羽根１６、１７及び補助調節用羽根２３はそれぞれベース体２６に上下方向へ移動自在に支持される（図２乃至図５参照）。
【００６５】
ベース体２６は、図２に示すように、縦長の略矩形状に形成され、略中央部に撮像光学系の光路となる透過孔２６ａを有し、光学系の光軸が透過孔２６ａの中心を通る位置に設定されている。ベース体２６の下端寄りの位置には軸挿通孔２６ｂが形成されている。ベース体２６には上下左右に離隔して前方へ突出された４つの案内ピン２６ｃ、２６ｃ、・・・が設けられている。
【００６６】
ベース体２６の３つの案内ピン２６ｃ、２６ｃ、２６ｃは、図３に示すように、それぞれ光量調節羽根１６の被案内孔１９ａ、１９ａ、２０ａに挿入されて摺動自在に係合される。また、ベース体２６の３つの案内ピン２６ｃ、２６ｃ、２６ｃは、図４に示すように、それぞれ光量調節羽根１７の被案内孔２１ａ、２１ａ、２２ａに挿入されて摺動自在に係合される。さらに、ベース体２６の２つの案内ピン２６ｃ、２６ｃは、図５に示すように、それぞれ補助調節用羽根２３の被案内孔２４ａ、２５ａに挿入されて摺動自在に係合される。
【００６７】
即ち、１つ目の案内ピン２６ｃは光量調節羽根１６の被案内孔１９ａと光量調節羽根１７の被案内孔２１ａとに係合され、２つ目の案内ピン２６ｃは光量調節羽根１６の被案内孔１９ａと光量調節羽根１７の被案内孔２１ａと補助調節用羽根２３の被案内孔２４ａに係合され、３つ目の案内ピン２６ｃは光量調節羽根１７の被案内孔２２ａと補助調節用羽根２３の被案内孔２５ａに係合され、４つ目の案内ピン２６ｃは光量調節羽根１６の被案内孔２０ａのみに係合される。
【００６８】
ベース体２６に光量調節羽根１６、１７及び補助調節用羽根２３が支持された状態において、光量調節羽根１６、１７及び補助調節用羽根２３を閉塞する図示しないカバー体がベース体２６に取り付けられる。カバー体にはベース体２６の透過孔２６ａに対応して位置される開口部が形成されている。
【００６９】
ベース体２６の後方には駆動モーター１８が配置される（図２参照）。駆動モーター１８はモーター軸１８ａが前後に延びる向きで配置されている。駆動モーター１８のモーター軸１８ａはベース体２６の軸挿通孔２６ｂを貫通されている。
【００７０】
駆動モーター１８のモーター軸１８ａには回動アーム２７が固定されている。回動アーム２７はアーム部２７ａと該アーム部２７ａの長手方向における両端部から突出された係合ピン２７ｂ、２７ｂとアーム部２７ａの長手方向における中間部から突出された係合突部２７ｃとから成る。係合突部２７ｃは回動アーム２７の回動支点と一方の係合ピン２７ｂとの間の位置に設けられ、例えば、回動支点から係合突部２７ｃまでの距離が回動支点から係合ピン２７ｂまでの距離の２分の１にされている。
【００７１】
回動アーム２７の係合ピン２７ｂ、２７ｂはそれぞれ光量調節羽根１６、１７の摺動孔２０ｂ、２２ｂに摺動自在に係合される。回動アーム２７の係合突部２７ｃは補助調節用羽根２３の摺動孔２５ｂに摺動自在に係合される。
【００７２】
上記のように、回動アーム２７にあっては、回動支点から係合突部２７ｃまでの距離が回動支点から係合ピン２７ｂまでの距離の２分の１にされているため、回動アーム２７が回動されたときの補助調節用羽根２３の移動量は光量調節羽根１７の移動量の２分の１になる。
【００７３】
尚、補助調節用羽根２３の移動量を必ずしも光量調節羽根１７の移動量の２分の１に設定する必要はなく、回動支点から係合突部２７ｃまでの距離と回動支点から係合ピン２７ｂまでの距離との比を任意に設計することにより、補助調節用羽根２３の移動量と光量調節羽根１７の移動量の比を任意に設定することが可能である。
【００７４】
以下に、駆動モーター１８の回転に伴う光量調節羽根１６、１７及び補助調節用羽根２３の動作について説明する（図６乃至図８参照）。
【００７５】
駆動モーター１８の回転に伴って回動アーム２７が回動されると、回動アーム２７の係合ピン２７ｂ、２７ｂがそれぞれ光量調節羽根１６、１７の摺動孔２０ｂ、２２ｂに対して摺動されることにより、光量調節羽根１６、１７が案内ピン２６ｃ、２６ｃ、・・・に案内されて互いに離接する方向（上下方向）へ並進移動される。同時に、回動アーム２７の係合突部２７ｃが補助調節用羽根２３の摺動孔２５ｂに対して摺動されることにより、補助調節用羽根２３が案内ピン２６ｃ、２６ｃに案内されて光量調節羽根１７と同じ方向へ並進移動される。
【００７６】
このとき駆動モーター１８が一方の方向へ回転されると、図６に示す透過孔２６ａを開放する開放状態から、光量調節羽根１６が上方へ移動されると共に光量調節羽根１７及び補助調節用羽根２３が下方へ移動され、光量調節羽根１６、１７の開口用切欠１６ａ、１７ａによって形成される開口の面積が小さくなり透過孔２６ａが閉塞されていくことにより入射光量が漸次減少する（図７参照）。
【００７７】
開放状態においては、光量調節羽根１７の主部２１と補助調節用羽根２３の主部２４とが厚み方向において重なる位置関係とされており、上記のように、補助調節用羽根２３の移動量が光量調節羽根１７の移動量の２分の１に設定されているため、開放状態からの上記移動に伴って、光量調節羽根１７の主部２１と補助調節用羽根２３の主部２４との厚み方向における重なる面積が漸次減少する状態とされていく。
【００７８】
さらに駆動モーター１８が一方の方向へ回転されることにより、図７に示す状態から、光量調節羽根１６が上方へ移動されると共に光量調節羽根１７及び補助調節用羽根２３が下方へ移動され、光量調節羽根１６、１７の開口用切欠１６ａ、１７ａによって形成される開口の面積が小さくなり透過孔２６ａが閉塞されていくことにより入射光量が漸次減少し、透過孔２６ａを閉塞する閉塞状態に至る（図８参照）。
【００７９】
この閉塞状態に至る過程においても、光量調節羽根１７の主部２１と補助調節用羽根２３の主部２４との厚み方向における重なる面積が漸次減少する状態とされていく。
【００８０】
透過孔２６ａが閉塞された閉塞状態においては、図８に示すように、光量調節羽根１６の主部１９と光量調節羽根１７の主部２１と補助調節用羽根２３の主部２４とによって透過孔２６ａが閉塞される。
【００８１】
逆に、駆動モーター１８が他方の方向へ回転されると、図８に示す透過孔２６ａを閉塞する閉塞状態から、光量調節羽根１６が下方へ移動されると共に光量調節羽根１７及び補助調節用羽根２３が上方へ移動され、光量調節羽根１６、１７の開口用切欠１６ａ、１７ａによって形成される開口の面積が大きくなり透過孔２６ａが開放されていくことにより入射光量が漸次増加し、図７の状態から図６の開放状態に至る。
【００８２】
閉塞状態から開放状態へ至るときには、光量調節羽根１７と補助調節用羽根２３の移動に伴って、光量調節羽根１７の主部２１と補助調節用羽根２３の主部２４との厚み方向における重なる面積が漸次増加する状態とされていく。
【００８３】
以上に記載した通り、撮像装置１にあっては、光量調節羽根１７と同じ方向へ移動されて透過孔２６ａを開閉する補助調節用羽根２３を設け、透過孔２６ａを閉塞する閉塞動作時には、光量調節羽根１７の主部２１と補助調節用羽根２３の主部２４との厚み方向における重なる面積が漸次減少する状態となるようにし、透過孔２６ａを開放する開放動作時には、光量調節羽根１７の主部２１と補助調節用羽根２３の主部２４ととの厚み方向における重なる面積が漸次増加する状態となるようにしているため、光量調節羽根１６と光量調節羽根１７のみによって透過孔２６ａを開閉するようにした場合に比し、光量調節羽根１７及び補助調節用羽根２３の移動方向における長さが短くて済み、その分、光量調節機構１２の小型化を図ることができる。
【００８４】
また、光量調節機構１２の小型化を図ることができるため、光量調節機構１２をレンズ鏡筒１０に対して外側に突出させない状態で配置し易くなり、他の部品との配置上の干渉を回避することが可能となり、レンズ鏡筒１０の周囲に配置される各部品の配置の自由度の向上を図ることができる。
【００８５】
さらに、光量調節機構１２をレンズ鏡筒１０に対して外側に突出させない状態で配置し易くなるため、光量調節機構１２において不測の外力を受ける機会が低減し、この外力による光量調節機構１２の動作不良を防止することができる。
【００８６】
加えて、回動アーム２７に係合ピン２７ｂ、２７ｂ及び係合突部２７ｃを設けて１つの駆動モーター１８によって光量調節羽根１６、１７及び補助調節用羽根２３を動作させているため、その分、部品点数を少なくすることができると共に配置スペースの低減による一層の小型化を図ることができる。
【００８７】
尚、上記には、光量調節羽根１７と同じ方向に移動する補助調節用羽根２３を例として示したが、これに代えて光量調節羽根１６と同じ方向へ移動する補助調節用羽根を設けてもよく、また、光量調節羽根１６と同じ方向へ移動する補助調節用羽根と光量調節羽根１７と同じ方向へ移動する補助調節用羽根の双方を設けてもよい。光量調節羽根１６と同じ方向へ移動する補助調節用羽根を設けた場合には、光量調節羽根１６の移動方向における長さを短くすることができる。
【００８８】
また、設ける補助調節用羽根の数は任意であり、同じ方向へ移動される移動量の異なる補助調節用羽根を複数設けることにより、光量調節機構の一層の小型化を図ることが可能である。
【００８９】
さらに、光量調節羽根１６、１７を動作させるための駆動機構と補助調節用羽根を動作させるための駆動機構とを各別に設けることも可能である。
【００９０】
尚、上記に示した上下左右の方向は説明の便宜上のものであり、これらの方向に限定されることはない。
【００９１】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００９２】
【図１】図２乃至図８と共に本発明の最良の形態を示すものであり、本図は、撮像装置の基本構成を示す概念図である。
【図２】光量調節機構の分解斜視図である。
【図３】ベース体に一方の光量調節羽根が支持された状態を示す拡大正面図である。
【図４】ベース体に他方の光量調節羽根が支持された状態を示す拡大正面図である。
【図５】ベース体に補助調節用羽根が支持された状態を示す拡大正面図である。
【図６】図７及び図８とともに光量調節機構の動作を示すものであり、本図は開放状態を示す拡大正面図である。
【図７】動作途中の状態を示す拡大正面図である。
【図８】閉塞状態を示す拡大正面図である。
【図９】図１０と共に従来の光量調節機構を示すものであり、本図は透過孔が開放された状態を示す拡大正面図である。
【図１０】透過孔が閉塞された状態を示す拡大正面図である。
【符号の説明】
【００９３】
１…撮像装置、１０…レンズ鏡筒、１６…光量調節羽根、１７…光量調節羽根、１８…駆動モーター、２３…補助調節用羽根、２６…ベース体、２６ａ…透過孔、２７…回動アーム、２７ｂ…係合ピン、２７ｃ…係合突部
【図１】
2006145739.tif 000003
【図２】
2006145739.tif 000004
【図３】
2006145739.tif 000005
【図４】
2006145739.tif 000006
【図５】
2006145739.tif 000007
【図６】
2006145739.tif 000008
【図７】
2006145739.tif 000009
【図８】
2006145739.tif 000010
【図９】
2006145739.tif 000011
【図１０】
2006145739.tif 000012